(57)【要約】【課題】デザインの自由度を向上せしめると共に、ＬＥＤの長寿命化を実現することが可能なＬＥＤ照明装置を提供する。【解決手段】アルミニウム基板２と、アルミニウム基板と着脱自在に係合し、アルミニウム基板２上を滑走可能に構成されたＬＥＤモジュール３と、ＬＥＤモジュールに取り付けられたＬＥＤチップ３３と、アルミニウム基板に設けられ、アルミニウム基板と係合するＬＥＤモジュールに取り付けられたＬＥＤチップに電源を供給する電源供給ライン２２を備える。【選択図】図１
0003162336.tif 000002
【実用新案登録請求の範囲】
【請求項１】
基板と、
該基板と着脱自在に係合し、同基板上を滑走可能に構成された係合部材と、
該係合部材に取り付けられたＬＥＤチップと、
前記基板に設けられ、同基板と係合する係合部材に取り付けられた前記ＬＥＤチップに電源を供給する電源供給部材とを備える
照明装置。
【請求項２】
前記電源供給部材は、前記基板の任意の位置に係合する係合部材に電源を供給可能に構成されている
請求項１に記載の照明装置。
【請求項３】
前記基板は、少なくともその一部が放熱材料によって構成されている
請求項１または請求項２に記載の照明装置。
【請求項４】
前記基板は、放熱構造を備えている
請求項１または請求項２に記載の照明装置。
【請求項５】
前記係合部材は、複数のＬＥＤチップが取り付けられており、これら複数のＬＥＤチップが、係合部材の滑走方向と略並行に配列している
請求項１、請求項２、請求項３または請求項４に記載の照明装置。
【請求項６】
前記基板に複数の係合部材が係合しており、一の係合部材に取り付けられたＬＥＤチップの数量が、他の係合部材に取り付けられたＬＥＤチップの数量とは異なる
請求項１、請求項２、請求項３、請求項４または請求項５に記載の照明装置。
【請求項７】
前記基板に複数の係合部材が係合しており、一の係合部材に取り付けられたＬＥＤチップの配置が、他の係合部材に取り付けられたＬＥＤチップの配置とは異なる
請求項１、請求項２、請求項３、請求項４または請求項５に記載の照明装置。
【請求項８】
前記基板に複数の係合部材が係合しており、一の係合部材に取り付けられたＬＥＤチップの照度が、他の係合部材に取り付けられたＬＥＤチップの照度とは異なる
請求項１、請求項２、請求項３、請求項４または請求項５に記載の照明装置。
【請求項９】
前記基板に複数の係合部材が係合しており、一の係合部材に取り付けられたＬＥＤチップから発せられる光の波長が、他の係合部材に取り付けられたＬＥＤチップから発せられる光の波長とは異なる
請求項１、請求項２、請求項３、請求項４または請求項５に記載の照明装置。
【考案の詳細な説明】
【技術分野】
【０００１】
本考案は照明装置に関する。詳しくは、ＬＥＤ（Ｌｉｇｈｔ  Ｅｍｉｔｔｉｎｇ  Ｄｉｏｄｅ）を光源とした照明装置に係るものである。
【背景技術】
【０００２】
従来、事務室や工場、倉庫等の施設の照明装置として、蛍光灯から成る直管型照明装置が使用されていた。
【０００３】
ここで、蛍光灯からなる直管型照明装置については、その使用寿命が６０００〜１００００時間程度であり耐久性の向上が求められていた。また、消費電力の低減も求められていた。
【０００４】
こうした要求に応えるべく、ＬＥＤを用いた照明器具が提案されている（例えば、特許文献１参照）。
【０００５】
具体的には、図４で示す様に、アクリル樹脂製の細長円筒形状の直管部１１１と、この直管部１１１の両端に固定された口金１１２と、直管部１１１の内部に直管部１１１の形状に沿って設けられた発光体１１３を備えて構成された直管型照明器具が提案されている。なお、発光体１１３は、細長形状の複数の基板１１４ａ、１１４ｂ、１１４ｃ、１１４ｄ、１１４ｅ、１１４ｆを六角筒状に組み合わせて形成された基板ユニット１１４と、この基板ユニット１１４の表面側に多数配列されたＬＥＤ１１５とを備えて構成されている。
【先行技術文献】
【特許文献】
【０００６】
【特許文献１】特開２００９−１７０１８６号公報
【考案の概要】
【考案が解決しようとする課題】
【０００７】
しかしながら、従来のＬＥＤを用いた照明器具は、ＬＥＤを用いていない照明器具（例えば、蛍光灯を用いた照明器具、白熱灯を用いた照明器具等）の形態をそのまま採用してＬＥＤを用いるといったものであった。例えば、特許文献１に記載の照明器具についても、従来の白熱灯を用いた照明器具の形態をそのまま採用している。
【０００８】
そのため、照明器具の形態は従前のＬＥＤを用いていない照明器具と同様となってしまい、デザインの自由度が制約されていた。
【０００９】
また、ＬＥＤチップからの光は可視光以外の放射がほとんどないために、被照射物に対して熱を放射するといったことはないものの、ＬＥＤ自身、照明器具、また、電源ユニット等は発熱する。そして、こうした熱を効率的に放熱することが、ＬＥＤの寿命に大きく影響を及ぼすために、ＬＥＤを用いた照明器具においては、いかに効率的に放熱を行うかが技術的に極めて重要となる。
【００１０】
しかし、上述の様に、照明器具の形態が従前のＬＥＤを用いていない照明器具と同様とされていたために、非常に制約された形態を前提として放熱対策を講じなければならず、放熱対策を充分に図ることが困難であった。なお、放熱対策を充分に講じることができないことに起因して、ＬＥＤの長寿命化を実現することが困難とされていた。
【００１１】
本考案は以上の点に鑑みて創案されたものであって、デザインの自由度を向上せしめると共に、ＬＥＤの長寿命化を実現することが可能な照明装置を提供することを目的とするものである。
【課題を解決するための手段】
【００１２】
上記の目的を達成するために、本考案に係る照明装置は、基板と、該基板と着脱自在に係合し、同基板上を滑走可能に構成された係合部材と、該係合部材に取り付けられたＬＥＤチップと、前記基板に設けられ、同基板と係合する係合部材に取り付けられた前記ＬＥＤチップに電源を供給する電源供給部材とを備える。
【００１３】
ここで、係合部材が基板と着脱自在に係合し、また、基板上を滑走可能に構成されたことによって、照明装置のデザインの自由度が大幅に向上することとなる。また、照明装置の形態が従前の形態を前提としないために、充分な放熱対策を講じることが可能となり、ＬＥＤチップの長寿命化を実現することができる。
【００１４】
また、電源供給部材が、基板の任意の位置に係合する係合部材に電源を供給可能に構成された場合には、基板と係合部材の位置関係を問わずに電源供給が可能となり、より一層充分に照明装置のデザインの自由度が向上することとなる。
【００１５】
なお、放熱対策の一例としては、例えば、基板の少なくとも一部を熱伝導率の高い放熱材料（例えば、アルミニウム材料等）によって形成し、基板を通じて放熱を行うことが考えられる。また、基板の内部に冷却水を循環させる等の放熱構造を有する基板を採用することも放熱対策の一例として挙げることができる。
【考案の効果】
【００１６】
本考案を適用した照明装置では、デザインの自由度を向上することができ、更に、ＬＥＤチップの長寿命化をも実現することができる。
【図面の簡単な説明】
【００１７】
【図１】第１の実施の形態に係るＬＥＤ照明装置を説明するための模式図である。
【図２】第１の実施の形態に係るＬＥＤ照明装置の取り付け状態を説明するための模式図である。
【図３】第２の実施の形態に係るＬＥＤ照明装置を説明するための模式図である。
【図４】従来のＬＥＤを用いた照明器具を説明するための模式図である。
【考案を実施するための形態】
【００１８】
以下、図面を参酌しながら、考案を実施するための形態（以下、「実施の形態」と称する）について説明する。なお、説明は以下の順序で行う。
１．第１の実施の形態
２．第２の実施の形態
３．変形例
【００１９】
＜１．第１の実施の形態＞
図１（ａ）は本考案を適用した照明装置の一例であるＬＥＤ照明装置を説明するための模式図であり、図２はその取り付け状態を説明するための模式図である。ここで示すＬＥＤ照明装置１は、アルミニウム材料から構成された平板状のアルミニウム基板２と、アルミニウム基板２に着脱自在に係合せしめることが可能なＬＥＤモジュール３を有する。
【００２０】
アルミニウム基板２は、その上面（ＬＥＤモジュールと対面する面）の略中央部に凸状部２１が形成され、その両側面には電源と接続された電源供給ライン２２が設けられている。
【００２１】
ＬＥＤモジュール３は、四角形状のモジュール本体３１と、モジュール本体３１と連設され、アルミニウム基板２と係合する係合部３２とを有する。そして、ＬＥＤモジュール３がアルミニウム基板２と係合した状態では、モジュール本体３１がアルミニウム基板２の上面に位置し、係合部３２はアルミニウム基板２の両側面の外側に配置されると共に、アルミニウム基板２の下面からアルミニウム基板２を支持する状態を構成することとなる。
【００２２】
また、モジュール本体３１の上面（アルミニウム基板２と対面する面とは反対側の面）にはＬＥＤチップ３３が取り付けられている。具体的には、各ＬＥＤモジュール３にはアルミニウム基板２の長手方向と略並行に配列された３つのＬＥＤチップ３３が取り付けられている。
【００２３】
更に、モジュール本体３１の下面（アルミニウム基板２と対面する面）には凹部３４が設けられており、ＬＥＤモジュール３がアルミニウム基板２と係合した状態では、この凹部がアルミニウム基板２に形成された凸状部２１と嵌合することとなる。
【００２４】
第１の実施の形態に係るＬＥＤ照明装置では、アルミニウム基板２の任意の位置にＬＥＤモジュール３を取り付けることができる。具体的には、アルミニウム基板２に取り付けるＬＥＤモジュール３の個数も自由であり、アルミニウム基板２に取り付けるＬＥＤチップモジュール３の位置も自由である。そのため、ＬＥＤ照明装置のデザインの自由度を大幅に向上することが可能となる。
【００２５】
また、第１の実施の形態に係るＬＥＤ照明装置では、ＬＥＤチップ３３がアルミニウム基板２の長手方向と略並行に取り付けられているために、図１（ｂ）で示す様に、ＬＥＤモジュール３同士のクリアランスが無いように取り付けた場合には、いわゆるライン照明を実現することが可能となる。
【００２６】
更に、第１の実施の形態に係るＬＥＤ照明装置では、ＬＥＤチップの不具合が見つかった場合に、該当するＬＥＤモジュール３のみを取り替えれば良く、製造歩留まりの向上を実現することができる。
即ち、同一工程で製造したＬＥＤチップであったとしても、発色具合等のブレが不可避的に生じる。そうした場合に、従来のＬＥＤチップを用いた照明装置では、不具合が生じたＬＥＤチップのみの交換はできなかった。これに対して、第１の実施の形態に係るＬＥＤ照明装置では、不具合の生じているＬＥＤチップが取り付けられたＬＥＤモジュール３のみを交換することが可能であり、結果として、上述した様に、製造歩留まりの向上が期待できるのである。
【００２７】
また、第１の実施の形態に係るＬＥＤ照明装置では、アルミニウム基板２を通じて放熱ができるために、ＬＥＤチップの長寿命化にも寄与し、結果として、ＬＥＤ照明装置の長寿命化が期待できる。
【００２８】
＜２．第２の実施の形態＞
図３は本考案を適用した照明装置の他の一例であるＬＥＤ照明装置を説明するための模式図であり、ここで示すＬＥＤ照明装置１は、アルミニウム材料から構成された略円形状のアルミニウム基板２と、アルミニウム基板２に着脱自在に係合せしめることが可能なＬＥＤモジュール３を有する。なお、第１の実施の形態と同一部材については同一符号を付しており、省略した符号については、図１を参照している。
【００２９】
アルミニウム基板２は、その一部にスリット２３が設けられた円形状に構成されており、その上面（ＬＥＤモジュールと対面する面）の略中央部に凸状部２１が形成され、その両側面には電源と接続された電源供給ライン２２が設けられている。ここで、スリット２３が設けられているのは、ＬＥＤモジュール３を着脱する領域を確保するためである。
【００３０】
ＬＥＤモジュール３は、四角形状のモジュール本体３１と、モジュール本体３１と連設され、アルミニウム基板２と係合する係合部３２とを有する。そして、ＬＥＤモジュール３がアルミニウム基板２と係合した状態では、モジュール本体３１がアルミニウム基板２の上面に位置し、係合部３２はアルミニウム基板２の両側面の外側に配置されると共に、アルミニウム基板２の下面からアルミニウム基板２を支持する状態を構成することとなる。
【００３１】
また、モジュール本体３１の上面（アルミニウム基板２と対面する面とは反対側の面）にはＬＥＤチップ３３が取り付けられている。
【００３２】
なお、アルミニウム基板２と係合しているＬＥＤモジュール３は、それぞれＬＥＤチップの状態が異なる。即ち、ＬＥＤモジュール３ａとＬＥＤモジュール３ｂとは取り付けられたＬＥＤチップの数量が異なり（ＬＥＤモジュール３ａが３つのＬＥＤチップが取り付けられているのに対して、ＬＥＤモジュール３ｂには２つのＬＥＤチップが取り付けられている）、ＬＥＤモジュール３ａとＬＥＤモジュール３ｃとは取り付けられたＬＥＤチップの配置が異なる（ＬＥＤモジュール３ａはアルミニウム基板２の円周方向にＬＥＤチップが配列されているのに対して、ＬＥＤモジュール３ｃはアルミニウム基板２の半径方向にＬＥＤチップが配列されている）。
【００３３】
更に、モジュール本体３１の下面（アルミニウム基板２と対面する面）には凹部３４が設けられており、ＬＥＤモジュール３がアルミニウム基板２と係合した状態では、この凹部がアルミニウム基板２に形成された凸状部２１と係合することとなる。
【００３４】
第２の実施の形態に係るＬＥＤ照明装置では、上記した第１の実施の形態に係るＬＥＤ照明装置と同様に、アルミニウム基板２の任意の位置にＬＥＤモジュール３を取り付けることができるために、ＬＥＤ照明装置のデザインの自由度を大幅に向上することが可能となる。
【００３５】
また、第２の実施の形態に係るＬＥＤ照明装置では、アルミニウム基板２に取り付けられたＬＥＤモジュール３の状態（ＬＥＤチップの数量、ＬＥＤチップの配置）がそれぞれ異なることによって、更に、自由なデザインを実現することが可能となる。
【００３６】
なお、ＬＥＤ照明装置の製造歩留まりの向上が実現できる点、アルミニウム基板２を通じて放熱ができる点については、上述した第１の実施の形態に係るＬＥＤ照明装置と同様である。
【００３７】
＜３．変形例＞
上記した第１の実施の形態のＬＥＤ照明装置では、アルミニウム基板２に係合させたＬＥＤモジュール３に取り付けられたＬＥＤチップの状態が、全てのＬＥＤモジュール３で同一である場合を例に挙げて説明を行っているが、上記した第２の実施の形態のＬＥＤ照明装置の様に、取り付けられたＬＥＤチップの状態が異なるＬＥＤモジュール３をアルミニウム基板２に係合させても良い。
即ち、平板状のアルミニウム基板２に、それぞれＬＥＤチップの状態が異なるＬＥＤモジュール３を係合せしめても良い。
【００３８】
同様に、上記した第２の実施の形態のＬＥＤ照明装置では、アルミニウム基板２に係合させたＬＥＤモジュール３に取り付けられたＬＥＤチップの状態が、それぞれ異なる場合を例に挙げて説明を行っているが、上記した第１の実施の形態のＬＥＤ照明装置の様に、取り付けられたＬＥＤチップの状態が同一であるＬＥＤモジュール３をアルミニウム基板２に係合させても良い。
即ち、略円形状のアルミニウム基板２に、ＬＥＤチップの状態が同一であるＬＥＤモジュール３を係合せしめても良い。
【００３９】
また、上記した第２の実施の形態のＬＥＤ照明装置では、ＬＥＤモジュール３に取り付けられたＬＥＤチップの状態が異なる場合として、ＬＥＤチップの数量が異なる場合及びＬＥＤチップの配列が異なる場合を例に挙げて説明を行っているが、その他に、ＬＥＤチップの照度が異なる場合や、ＬＥＤチップから発せられる光の波長が異なる場合等も挙げることができる。
即ち、ＬＥＤモジュール３に取り付けられたＬＥＤチップの数量及び配列が同一であったとしても、その照度や発せられる光の波長を異ならせることによっても、自由なデザインを実現することが可能となる。なお、ＬＥＤチップから発せられる光の波長を異ならせた場合には、ＬＥＤ照明装置から種々の波長の光が発せられることとなり、太陽光に近似した光の実現も可能となる。
【００４０】
更に、上記した第１の実施の形態のＬＥＤ照明装置ではアルミニウム基板２が平板状である場合を例に挙げ、上記した第２の実施の形態のＬＥＤ照明装置ではアルミニウム基板２が略円形状である場合を例に挙げて説明を行っているが、アルミニウム基板２の形状はこうした形状に限定されるものではなく、いかなる形状であっても構わない。
【００４１】
また、上記した第１の実施の形態のＬＥＤ照明装置及び第２の実施の形態のＬＥＤ照明装置では、いずれも基板がアルミニウム材料から構成された場合を例に挙げて説明を行っているが、基板はアルミニウム材料以外から構成されても良い。但し、基板を熱伝導率の高い材料から構成することで、放熱効果が向上し、ＬＥＤチップの長寿命化を実現できることとなるために、放熱材料から構成された方が好ましい。なお、放熱効果を得るための方法として、基板に放熱構造（例えば、基板内部に冷却水を循環させる）を採用しても良い。
【００４２】
更に、上記した第１の実施の形態のＬＥＤ照明装置及び第２の実施の形態のＬＥＤ照明装置では、アルミニウム基板２の両側面（全面）に電源供給ライン２２を配置することで、ＬＥＤモジュール３の係合位置とは無関係に、電源供給ライン２２を介してＬＥＤモジュール３に取り付けられたＬＥＤチップに駆動源である電源を供給することが可能な構成を例に挙げて説明を行っている。しかし、電源供給ライン２２はＬＥＤモジュール３に取り付けられたＬＥＤチップに電源を供給することができれば充分であり、必ずしもアルミニウム基板２の両側面（全面）に配置される必要はなく、その一部に配置されても良い。但し、アルミニウム基板２の特定の位置にＬＥＤモジュール３が配置された場合にしか電源が供給されないとなると、ＬＥＤ照明装置のデザインの自由度が制限されることにもなりかねないために、上記した第１の実施の形態のＬＥＤ照明装置や第２の実施の形態のＬＥＤ照明装置の様に、アルミニウム基板２の両側面（全面）に電源供給ライン２２が形成された方が好ましい。
【符号の説明】
【００４３】
１ＬＥＤ照明装置
２アルミニウム基板
３ＬＥＤモジュール
２１凸状部
２２電源供給ライン
２３スリット
３１モジュール本体
３２係合部
３３ＬＥＤチップ
【図１】
0003162336.tif 000003
【図２】
0003162336.tif 000004
【図３】
0003162336.tif 000005
【図４】
0003162336.tif 000006